(57)【特許請求の範囲】
【請求項１】
２以上の検査会場に設置された複数の検査装置と、
前記２以上の検査会場のそれぞれに設置された情報処理装置と、
前記情報処理装置と通信可能な管理装置と
を含み、
前記情報処理装置は、
当該検査会場に設置された１以上の検査装置の稼働状況を示す稼働状況情報を生成する稼働状況情報生成部と、
前記管理装置に向けて前記稼働状況情報を送信する第１通信部と
を備え、
前記管理装置は、
事前登録された被検者情報であって当該被検者の使用端末のアドレス情報を含む被検者情報を格納する格納部と、
前記情報処理装置から送信された前記稼働状況情報を受信する第２通信部と、
検査実施前の１以上の被検者に関する前記被検者情報と、前記第２通信部により受信された前記稼働状況情報とに基づいて、前記２以上の検査会場のうち被検者が事前登録した会場の近くに位置する会場又は被検者の所在地の近くに位置する会場であって混雑の程度が低い会場に被検者を誘導するための誘導情報を生成する誘導情報生成部と、
前記被検者情報に含まれる前記アドレス情報に基づいて、当該１以上の被検者の少なくともいずれかの使用端末に向けて前記誘導情報を送信するように前記第２通信部を制御する第１送信制御部と
を備える
医療検査システム。
【請求項２】
前記稼働状況情報生成部は、当該検査会場に設置された全ての検査装置のうち検査を実施中の検査装置の割合を含む稼働状況情報を生成する
ことを特徴とする請求項１に記載の医療検査システム。
【請求項３】
前記稼働状況情報生成部は、当該検査会場において実施中の検査の予測終了時刻又は予測継続時間を含む稼働状況情報を生成する
ことを特徴とする請求項１又は請求項２に記載の医療検査システム。
【請求項４】
前記稼働状況情報生成部は、当該検査会場における検査の予約状況を含む稼働状況情報を生成する
ことを特徴とする請求項１〜請求項３のいずれか一項に記載の医療検査システム。
【請求項５】
前記予約状況は、日付ごとの予約人数、時間帯ごとの予約人数、及び検査コースごとの予約人数のいずれかを含む
ことを特徴とする請求項４に記載の医療検査システム。
【請求項６】
前記稼働状況情報生成部は、当該検査会場における曜日及び時間帯のいずれかに応じた混雑状態の傾向を含む稼働状況情報を生成する
ことを特徴とする請求項１〜請求項５のいずれか一項に記載の医療検査システム。
【発明の詳細な説明】
【技術分野】
【０００１】
本発明は医療検査システムに関する。
【背景技術】
【０００２】
健康の維持や疾患の予防・早期発見のための健康診断や検診（以下、健康診断等と記載することがある）が広く行われている。健康診断等では、会場に多数の受診者が集合して各種検査が実施される。会場や実施日の指定は、受診者自身又は受診者の所属組織により行われるのが一般的である。また、会場の立地や規模は様々である。このような事情から、会場や日付や時間帯に応じて混雑状況に差が生じている。
【０００３】
近年の高齢化社会の進行に伴い、健康診断等の重要性の高まりが予想され、医療装置の遠隔地利用やレンタルといった新たな事業が進展を見せている。また、非熟練者であっても操作が容易な装置や、被検者自身でも検査が可能な装置も登場している。
【０００４】
健康診断等においては、先進的な検査装置や診断アプリケーションを用いて、より高確度、より高精度の診断を提供することが望ましい。そのような目的への寄与が期待されている検査装置として光干渉断層計がある。光干渉断層計は、光コヒーレンストモグラフィ（Ｏｐｔｉｃａｌ  Ｃｏｈｅｒｅｎｃｅ  Ｔｏｍｏｇｒａｐｈｙ、ＯＣＴ）を用いて生体組織の断面像や３次元データ、解析データを得るために利用されている。光干渉断層計の応用は特に眼科分野で進んでいる。眼科においては更に次のような装置が広く利用されている。
・眼底を写真撮影するための眼底カメラ
・共焦点光学系を用いたレーザ走査により眼底の画像を得るための走査型レーザ検眼鏡（Ｓｃａｎｎｉｎｇ  Ｌａｓｅｒ  Ｏｐｈｔｈａｌｍｏｓｃｏｐｅ、ＳＬＯ）
・眼球の屈折特性を測定する眼屈折検査装置（レフラクトメータ、ケラトメータ）
・眼圧を測定するための眼圧計
・角膜の特性（角膜厚、細胞分布等）を得るためのスペキュラーマイクロスコープ
・ハルトマン−シャックセンサを用いて眼球の収差情報を得るウェーブフロントアナライザ
【０００５】
眼疾患以外の疾患の兆候を眼科検査で検出できることが分かってきている。たとえば、糖尿病、癌、アルツハイマー、高血圧症、動脈硬化等の疾患の早期病変の検出に関する報告がなされている。このような疾患の検診に眼科検査装置を利用することが想定される。また、健康診断等において眼科検査の重要性が増すことも予想される。
【先行技術文献】
【特許文献】
【０００６】
【特許文献１】特開２００８−１６５６６７号公報
【特許文献２】特開２００６−３０２００６号公報
【特許文献３】特開２０１１−２４９３０号公報
【特許文献４】特開２０１３−２４８３７６号公報
【発明の概要】
【発明が解決しようとする課題】
【０００７】
健康診断等を効率的に進めるための技術が各種提案されてきた。しかし、これら従来の技術は、一つの会場におけるスループットの向上を図るものであるため、複数の会場が存在する地域における全体的な効率化を促進することはできない。
【０００８】
本発明に係るシステムの目的は、健康診断等の更なる効率化を図ることにある。
【課題を解決するための手段】
【０００９】
実施形態の医療検査システムは、２以上の検査会場に設置された複数の検査装置と、これら検査会場のそれぞれに設置された情報処理装置と、この情報処理装置と通信可能な管理装置とを含む。情報処理装置は、稼働状況情報生成部と、第１通信部とを備える。稼働状況情報生成部は、当該検査会場に設置された１以上の検査装置の稼働状況を示す稼働状況情報を生成する。第１通信部は、管理装置に向けて稼働状況情報を送信する。管理装置は、格納部と、第２通信部と、誘導情報生成部と、第１送信制御部とを備える。格納部は、事前登録された被検者情報であって当該被検者の使用端末のアドレス情報を含む被検者情報を格納する。第２通信部は、情報処理装置から送信された稼働状況情報を受信する。誘導情報生成部は、検査実施前の１以上の被検者に関する被検者情報と、第２通信部により受信された稼働状況情報とに基づいて、２以上の検査会場のうち被検者が事前登録した会場の近くに位置する会場又は被検者の所在地の近くに位置する会場であって混雑の程度が低い会場に被検者を誘導するための誘導情報を生成する。第１送信制御部は、被検者情報に含まれるアドレス情報に基づいて、当該１以上の被検者の少なくともいずれかの使用端末に向けて誘導情報を送信するように第２通信部を制御する。
【発明の効果】
【００１０】
実施形態によれば、健康診断等の更なる効率化を図ることができる。
【図面の簡単な説明】
【００１１】
【図１】実施形態に係る医療検査システムの構成の一例を表す概略図である。
【図２】実施形態に係る医療検査システムの構成の一例を表す概略図である。
【図３】実施形態に係る医療検査システムの構成の一例を表す概略図である。
【図４】実施形態に係る医療検査装置の使用形態の一例を表すシーケンス図である。
【発明を実施するための形態】
【００１２】
本発明の典型的な実施形態の幾つかの例を説明する。なお、この明細書にて引用された文献の内容や公知技術を実施形態に援用することができる。
【００１３】
実施形態の医療検査システムは、健康診断や検診のように被検者（受診者）が会場を訪れて検査が行われる医療形態に適用可能である。会場は、固定的な医療機関（健康診断センター、検診センター、病院等）には限定されず、巡回検診のように移動を伴う場合もある。また、実施形態の医療検査システムにおいて使用される検査装置は、会場に固定的に設置された検査装置と、レンタル（リース）等により一時的に設置された検査装置との一方又は双方を含んでよい。
【００１４】
実施形態の医療検査システムにおいて使用される検査装置は、健康診断や検診の目的に応じた検査に用いられる。検査装置の一部又は全部は、眼科検査（眼の検査）を行うための眼科検査装置であってよい。眼科検査装置は、被検眼を光学的に検査する。眼科検査装置は、眼科撮影装置としての機能、及び／又は、眼科測定装置としての機能を有する。眼科撮影装置は被検眼を画像化するための装置であり、その例として、光干渉断層計（ＯＣＴ装置）、眼底カメラ、走査型レーザ検眼鏡（ＳＬＯ）などがある。また、眼科測定装置は、被検眼の特性を測定するための装置であり、その例として、眼屈折検査装置、眼圧計、スペキュラーマイクロスコープ、ウェーブフロントアナライザなどがある。更に、眼科検査装置は、撮影画像や測定データを解析するためのアプリケーションを含んでいてもよい。
【００１５】
［医療検査システムの構成］
実施形態に係る医療検査システムの構成の例を説明する。図１に例示された医療検査システム１は、Ｎ個の会場（第１会場〜第Ｎ会場）を結ぶネットワークを利用して構築されている。
【００１６】
各会場（第ｎ会場：ｎ＝１〜Ｎ、Ｎは２以上の整数）には、眼科検査装置２−ｉｎ（ｉｎ＝１〜Ｋｎ、Ｋｎは１以上の整数）が設置されている。つまり、各会場（第ｎ会場）には、１以上の眼科検査装置２−ｉｎが設置されている。眼科検査装置２−ｉｎは、医療検査システム１の一部を構成する。なお、眼科検査以外の検査を実施可能な検査装置が医療検査システム１に含まれていてもよい。
【００１７】
本例の眼科検査装置２−ｉｎは、被検者（被検眼）の検査を実施する「検査装置」としての機能と、各種情報処理や外部装置との通信を行う「情報処理装置」としての機能の双方を備えている。他の例において、検査装置と情報処理装置とを別々に設けることが可能である。この場合、検査装置と情報処理装置とは互いに通信可能に構成されてよい。更に、検査装置の数と情報処理装置の数とはそれぞれ任意であり、たとえば単一の情報処理装置と複数の検査装置とを設けることができる。
【００１８】
更に、各会場（第ｎ会場）には情報システム３−ｎが設置されている。なお、情報システムは必須ではなく、医療検査システム１に含まれなくてよい。実施形態の情報システム３−ｎは、医療検査システム１と連係動作するよう構成される。情報システム３−ｎは、会場である施設や車両等に設置された情報処理装置（施設内サーバ等）、及び／又は、会場外に設置された情報処理装置（クラウドサーバ等）を含む。情報システム３−ｎの例として、健康診断や検診の受診者に関する情報を管理するシステム（予約システム、検査データ管理システム等）や、電子カルテや、医用画像管理システムや、診療報酬管理システム（レセプトシステム等）などがある。
【００１９】
眼科検査装置２−ｉｎと情報システム３−ｎとは、第ｎ会場内に構築されたネットワーク（施設内ＬＡＮ等）や、広域ネットワーク（インターネット等）や、近距離通信技術を介して通信を行う。
【００２０】
医療検査システム１は管理装置４を含む。管理装置４は、各会場に設置された眼科検査装置２−ｉｎと広域ネットワークを介して通信が可能である。管理装置４は、クラウドサーバ等の情報処理装置を含む。管理装置４は、眼科検査装置２−ｉｎから情報を受けて後述の処理を実行する。管理装置４が実行する処理の一つに、被検者端末５ｍ（ｍ＝１〜Ｍ、Ｍは１以上の整数）への通知がある（詳細は後述する）。
【００２１】
被検者端末５ｍは、被検者（受診者）により使用可能であり、かつ広域ネットワークを利用した通信が可能な情報処理端末である。被検者端末５ｍの所有者は、被検者本人でもよいし、被検者以外の自然人又は法人でもよい。被検者端末５ｍの例として、スマートフォン、携帯電話、タブレットコンピュータ、ノートパソコン等の携帯端末がある。また、被検者端末５ｍは、被検者の居住地や就業地等に設置されたデスクトップ型パソコン等であってもよい。また、単一の被検者に対して２以上の被検者端末５ｍが対応付けられていてもよい。
【００２２】
［眼科検査装置の構成］
眼科検査装置２−ｉｎの構成について説明する。図２に例示された眼科検査装置２は、図１に示す複数の眼科検査装置２−ｉｎの少なくともいずれか、特に管理装置４との間で通信が可能な眼科検査装置２−ｉｎ、に相当する。
【００２３】
眼科検査装置２は、制御部２０と、検査部２１と、測位信号受信部２２と、データ処理部２３と、ユーザインターフェイス（ＵＩ）部２４と、通信部２５とを備える。これら構成要素は、一体的に（つまり単一の筐体内に）設けられていてもよいし、２以上の筐体内に分散配置されていてもよい。後者の場合、眼科検査装置２の一部が他の装置に設けられていてよい。たとえば、制御部２０の一部又は全部やデータ処理部２３の一部又は全部を、パーソナルコンピュータや携帯端末に設けることができる。また、ユーザインターフェイス部２４の一部又は全部を、パーソナルコンピュータ、携帯端末、テレビ受像機、スマートテレビなどに設けることができる。
【００２４】
〔制御部２０〕
制御部２０は、各種の制御や演算を実行する。制御部２０はプロセッサを含む。なお、本明細書において「プロセッサ」は、たとえば、ＣＰＵ（Ｃｅｎｔｒａｌ  Ｐｒｏｃｅｓｓｉｎｇ  Ｕｎｉｔ）、ＧＰＵ（Ｇｒａｐｈｉｃｓ  Ｐｒｏｃｅｓｓｉｎｇ  Ｕｎｉｔ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、プログラマブル論理デバイス（たとえば、ＳＰＬＤ（Ｓｉｍｐｌｅ  Ｐｒｏｇｒａｍｍａｂｌｅ  Ｌｏｇｉｃ  Ｄｅｖｉｃｅ）、ＣＰＬＤ（Ｃｏｍｐｌｅｘ  Ｐｒｏｇｒａｍｍａｂｌｅ  Ｌｏｇｉｃ  Ｄｅｖｉｃｅ）、ＦＰＧＡ（Ｆｉｅｌｄ  Ｐｒｏｇｒａｍｍａｂｌｅ  Ｇａｔｅ  Ａｒｒａｙ））等の回路を意味する。制御部１１０は、たとえば、記憶回路や記憶装置に格納されているプログラムを読み出し実行することで、実施形態に係る機能を実現する。制御部２０は、更に、ＲＡＭ、ＲＯＭ、ハードディスクドライブ、ソリッドステートドライブ、通信インターフェイスなどを含んでいてよい。
【００２５】
〔検査部２１〕
検査部２１は、制御部２０による制御を受けて被検眼の検査を実行する。検査部２１は、眼科検査装置２の種別（各種の眼科撮影装置、各種の眼科測定装置等）に応じた構成を備える。検査部２１の構成は、公知の構成の少なくとも一部であってよく、或いは公知の構成を含んでよい。
【００２６】
検査部２１が撮影機能を備える場合、検査部２１は、たとえば、被検眼に光を照射するための光学系と、被検眼に照射された光の戻り光を検出するための光学系とを含む。更に、検査部２１は、被検眼に固視標を投影するための光学系や、アライメントを行うための光学系や、フォーカシングを行うための光学系など、各種の光学系を含んでよい。また、検査部２１は、戻り光の検出結果（画像信号、映像信号等）を処理するためのプロセッサを含んでよい。
【００２７】
撮影機能の例としてＯＣＴがある。ＯＣＴ光学系は、光源からの光を測定光と参照光とに分割し、被検眼からの測定光の戻り光と参照光とを重ね合わせて干渉光を生成し、それを検出するよう構成される。更に、干渉光の検出結果に高速フーリエ変換（ＦＦＴ）等の信号処理を施して画像データを形成するプロセッサや、形成された画像データに画像解析を施すプロセッサ等が設けられる。測定光の光路（測定アーム）には、被検眼を測定光で走査するための光スキャナや、測定光のフォーカス位置を変更するためのフォーカシングレンズや、測定アームの長さを変更するための光路長変更機構（コーナーキューブ、それを移動するための機構等）など、各種の部材が設けられる。参照光の光路（参照アーム）には、偏光コントローラや、光アッテネータや、光路長変更機構（参照ミラー、それを移動するための機構等）など、各種の部材が設けられる。撮影機能の他の例として、眼底撮影機能（眼底カメラ、ＳＬＯ等）、前眼部撮影機能（スリットランプ顕微鏡等）などがある。
【００２８】
検査部２１が測定機能を備える場合、検査部２１は、たとえば、被検眼に光を照射するための光学系と、被検眼に照射された光の戻り光を検出するための光学系とを含む。更に、検査部２１は、撮影機能の場合と同様に、各種の光学系を含んでよい。また、検査部２１は、戻り光の検出結果（画像信号、映像信号等）を処理するためのプロセッサを含んでよい。測定機能の例として、眼屈折力測定機能（レフラクトメータ）、角膜形状測定機能（ケラトメータ）、眼圧測定機能（眼圧計）、視野検査機能（視野計）などがある。
【００２９】
（測位信号受信部２２）
測位信号受信部２２は、測位システムからの信号を受信する。測位システムとしては、航法衛星（及び地上局）からの電波信号に基づいて現在位置を測定する航法衛星システム（Ｎａｖｉｇａｔｉｏｎ  Ｓａｔｅｌｌｉｔｅ  Ｓｙｓｔｅｍ：ＮＳＳ）や、地上局からの電波信号に基づいて現在位置を測定するシステムがある。測位システムの典型的な例として、グローバルポジショニングシステム（ＧＰＳ）、ガリレオ（Ｇａｌｉｌｅｏ）、グロナス（ＧＬＯｂａｌ  Ｎａｖｉｇａｔｉｏｎ  Ｓａｔｅｌｌｉｔｅ  Ｓｙｓｔｅｍ：ＧＬＯＮＡＳＳ）などがある。測位信号受信部２２は、１以上の測位システムからの信号を受信可能である。測位信号受信部２２は、従来のＧＰＳ受信器等と同様に、アンテナや回路を含む。
【００３０】
（データ処理部２３）
データ処理部２３は、各種のデータ処理を実行する。たとえば、データ処理部２３は、検査部２１により取得されたデータに対して処理を施す。その例として、データ処理部２３は、ＯＣＴ機能を備える検査部２１により形成された複数の２次元断面像に基づいて３次元画像データ（スタックデータ、ボリュームデータ等）を形成することや、この３次元画像データの任意の断面を画像化するＭＰＲ（Ｍｕｌｔｉ−Ｐｌａｎａｒ  Ｒｅｃｏｎｓｔｒｕｃｔｉｏｎ）を実行することができる。データ処理部２３はプロセッサを含む。データ処理部２３は、位置データ生成部２３１と、時刻データ生成部２３２と、稼働状況情報生成部２３３とを備える。
【００３１】
（位置データ生成部２３１）
位置データ生成部２３１は、測位信号受信部２２により受信された信号を解析して現在位置を示す位置データを生成する。測位信号から現在位置を求めるための処理は既知である。たとえば、測位信号受信部２２が航法衛星システムからの電波信号を受信するよう構成されている場合、位置データ生成部２３１は、測位信号受信部２２により取得された複数の電波信号（たとえば少なくとも４つの航法衛星からの電波信号）を解析することで位置データを生成する。
【００３２】
測位信号受信部２２が２以上の測位システムからの信号を受信可能である場合、位置データ生成部２３１は、それぞれの測位システムに対応した信号解析を実行することで、高精度・高確度の位置データを取得することができる。逆に、位置データに精度や確度がそれほど求められない場合、その程度に応じた信号解析手法を適用することが可能である。
【００３３】
（時刻データ生成部２３２）
時刻データ生成部２３２は、測位信号受信部２２により受信された信号を解析して現在時刻を示す時刻データを生成する。ＧＰＳのような航法衛星システムの測位信号には時刻情報が含まれている。時刻データ生成部２３２は、たとえば、測位信号を解析して時刻情報を抽出し、これを時刻データとして取得する。時刻データ生成部２３２は、測位信号に含まれる時刻（航法衛星からの電波信号の発信時刻等）を補正する処理や、測位信号に含まれる時刻を現在地が属するタイムゾーンにおける現在時刻に変換する処理などを実行してよい。ここで、現在地が属するタイムゾーンは、デフォルト設定されてもよいし、位置データ生成部２３１が取得した位置データに基づき決定されてもよい。測位信号から生成される時刻データは改ざんが難しく、信頼性が高いという利点がある。
【００３４】
一方、測位信号が時刻情報を含まない場合（測位信号が時刻情報を含む場合でもよい）、時刻データ生成部２３２は、たとえば時計機能を備えたプロセッサを含む。或いは、時刻データ生成部２３２は、外部制御部２００や携帯端末等の外部装置（時計機能を備える）から現在時刻を取得するための構成を備えていてもよい。
【００３５】
測位信号受信部２２、位置データ生成部２３１、時刻データ生成部２３２等は、眼科検査装置２に外付けされてもよい（つまり、別筐体として構成されていてもよい）。たとえば、携帯端末に搭載された測位機能（ＧＰＳ機能等）を利用して位置データや時刻データを取得し、それを眼科検査装置２に入力するよう構成することが可能である。
【００３６】
また、測位信号受信部２２、位置データ生成部２３１、時刻データ生成部２３２等は、これら以外の構成要素とは別の電源（専用バッテリー等）から電力供給を受ける構成であってよい。それにより、眼科検査装置２の電源がオフのときや、眼科検査装置２が外部電源（商用電源、病院内電源等）に接続されていないときでも、その位置や現在時刻を検知することが可能である。このように反復的に取得される位置データや時刻データを蓄積することで、眼科検査装置２の移動履歴を作成することができる。
【００３７】
（稼働状況情報生成部２３３）
眼科検査装置２は第１会場に設置されているとする。第１会場には、眼科検査装置２を含む１以上の検査装置が設置されている。稼働状況情報生成部２３３は、第１会場に設置された１又は２以上の検査装置（対象検査装置）の稼働状況を示す情報（稼働状況情報）を生成する。対象検査装置は、第１会場に設置されている全ての検査装置でもよいし、その一部でもよい。また、対象検査装置は、眼科検査装置２を含んでも含まなくてもよい。
【００３８】
稼働状況は、現在の状況又は未来の状況（予測状況）であってよい。現在の状況について説明する。現在の状況は、たとえば、各対象検査装置が検査に使用されているか否かを示す情報や、全ての対象検査装置のうち検査を実施中の対象検査装置の割合などを含む。また、実施中の検査の予測終了時刻や予測継続時間などが含まれていてもよい。眼科検査装置２以外の各対象検査装置の制御部は、検査部に対する制御状況（検査のための制御を実行しているか否か、検査フローにおける実行中のステップなど）を眼科検査装置２に送る。制御部２０は、各対象検査装置から入力された制御状況を稼働状況情報生成部２３３に送る。一方、眼科検査装置２の稼働状況については、検査部２１に対する制御状況を制御部２０が稼働状況情報生成部２３３に送る。稼働状況情報生成部２３３は、このようにして取得された制御状況を所定の形式に編集することで稼働状況情報を生成する。稼働状況の収集や稼働状況情報の生成（及び稼働状況情報の送信）は、たとえば所定の時間間隔（例：１０分間隔、３０分間隔、１時間間隔等）で実行される。
【００３９】
予測状況について説明する。予測状況は、たとえば、健康診断や検診の予約状況（日付・時間帯・健康診断のコース等の属性ごとの予約人数など）、曜日や時間帯に応じた混雑状態の傾向などを含む。このような情報は情報システム３−１から取得される。たとえば情報システム３−１が健康診断センターの予約システムである場合、制御部２０は、所定日（本日、明日等）の予約状況の送信要求を、通信部２５を介して情報システム３−１に送る。情報システム３−１は、この送信要求を受け、所定日の予約状況を検索し、それを眼科検査装置２に返信する。稼働状況情報生成部２３３は、このようにして取得された予約状況を所定の形式に編集することで稼働状況情報を生成する。予約状況等の収集や稼働状況情報の生成（及び稼働状況情報の送信）は、たとえば所定の間隔で実行される（例：毎日、所定時刻に実行される）。
【００４０】
検査装置の種類（機種）ごとに稼働状況情報を生成することが可能である。また、実施される検査の種別ごとに稼働状況情報を生成することが可能である。このような構成が適用される場合、当該会場には複数の検査装置が設置されており、これら検査装置は、実施可能な検査の種別に応じた２以上の群に分類されている。一の具体例において、第１群は、眼底の断層撮影に用いられる１以上の検査装置（光干渉断層計等）を含み、第２群は、眼底表面の撮影に用いられる１以上の検査装置（眼底カメラ、ＳＬＯ等）を含み、第３群は、眼屈折測定に用いられる１以上の検査装置（レフラクトメータ等）を含む。なお、複数種別の検査を実施可能な検査装置（複合機）がある。たとえば、光干渉断層計と眼底カメラとの複合機や、光干渉断層計とＳＬＯとの複合機や、レフラクトメータとケラトメータと眼圧計との複合機などが実用化されている。よって、単一の検査装置が２以上の群に属していてもよい。すなわち、複数の群は互いに排他的である必要はなく、重複があってもよい。
【００４１】
各検査装置には、それが属する群を示す識別情報が予め割り当てられている。稼働状況情報生成部２３３は、同じ識別情報が割り当てられた１以上の検査装置の群ごとに稼働状況情報を生成する。それにより、当該会場に設置された２以上の検査装置に関する稼働状況情報を、２以上の群のそれぞれについて生成することが可能である。
【００４２】
（ユーザインターフェイス部２４）
ユーザインターフェイス部２４は、眼科検査装置２のユーザに向けた情報を出力する機能と、ユーザが情報入力や操作指示を行うための機能とを備える。ユーザインターフェイス部２４は、前者の機能のための表示部と、後者の機能のための操作部とを含む。表示部は、フラットパネルディスプレイ等の表示デバイスを含む。操作部は、眼科検査装置２の筐体や外部に設けられたボタン、キー、ジョイスティック、操作パネル等の操作デバイスを含む。また、操作部は、眼科検査装置２に接続されたパーソナルコンピュータ等の操作デバイス（マウス、キーボード、トラックパッド、ボタン、タッチパネル等）を含んでよい。
【００４３】
表示部と操作部は、たとえばタッチパネルのように、表示機能と操作機能とが一体化されたデバイスを含んでよい。また、ユーザインターフェイス部２４は、情報提示と操作入力とを行うためのグラフィカルユーザインターフェイス（ＧＵＩ）を含んでよい。
【００４４】
（通信部２５）
通信部２５は、外部装置６との間でデータ通信を行う。データ通信の方式は任意である。たとえば、通信部２５は、インターネットに準拠した通信インターフェイス、ＬＡＮに準拠した通信インターフェイス、近距離通信に準拠した通信インターフェイスなどを含む。データ通信は有線通信でも無線通信でもよい。外部装置６は、たとえば、管理装置４と、当該会場における情報システム３−ｎとであってよい。また、外部装置６は、読影センターに設置されたサーバ、医療機関に設置されたサーバなどであってもよい。通信部２５により送受信されるデータは暗号化されてよい。その場合、制御部２０（又はデータ処理部２３）は、送信データを暗号化する暗号化処理部と、受信データを復号化する復号化処理部とを含む。
【００４５】
［管理装置の構成］
管理装置４の構成について説明する。図３に例示された管理装置４は、制御部４０と、格納部４１と、誘導情報生成部４２と、被検者情報取得部４３と、通信部４４とを備える。
【００４６】
〔制御部４０〕
制御部４０は、各種の制御や演算を実行する。制御部４０はプロセッサを含む。制御部４０は、更に、ＲＡＭ、ＲＯＭ、ハードディスクドライブ、ソリッドステートドライブ、通信インターフェイスなどを含んでいてよい。
【００４７】
（格納部４１）
格納部４１は、事前に登録された被検者情報を格納している。被検者情報は、被検者（受診者）に関する情報であり、たとえば、被検者ＩＤ、氏名、年齢、性別、所属組織、検査会場の識別子（会場ＩＤ）、健康診断等の予約日時、健康診断等のコースなどを含む。更に、被検者情報は、被検者端末５ｍのアドレス情報（電話番号、電子メールアドレス等）を含む。また、被検者情報は、過去の健康診断等の結果や、電子カルテ情報などを含んでもよい。被検者情報は、たとえば、第１会場〜第Ｎ会場のいずれかでの健康診断等を申し込んだ各人について作成される。
【００４８】
（誘導情報生成部４２）
誘導情報生成部４２は、検査実施前の１以上の被検者に関する被検者情報と、第１〜第Ｎ会場のいずれか１以上の会場の眼科検査装置２から取得された稼働状況情報とに基づいて、誘導情報を生成する。誘導情報は、第１〜第Ｎ会場のいずれかに被検者を誘導するための情報を含む。たとえば、誘導情報は、誘導先の会場の名称、アクセス情報（所在地、地図等）、健康診断等の開始時間、登録済みの会場から誘導先の会場への変更の理由（混雑状況、待ち時間等）、会場の変更を受諾するか否か選択するための情報（ＧＵＩ等）などを含む。誘導情報生成部４２はプロセッサを含む。
【００４９】
誘導情報生成部４２が実行する処理の具体例を説明する。一の被検者が第１会場での健康診断を申し込んだとする。この被検者の被検者情報には、第１会場の会場ＩＤが含まれる。更に、第１〜第Ｎ会場のそれぞれから稼働状況情報が収集されたとする。また、誘導情報生成部４２は、第１〜第Ｎ会場のそれぞれの所在地（会場所在地情報）を予め記憶している。誘導情報生成部４２は、第１会場からの稼働状況情報を解析して混雑状況を示す指標値を取得（抽出、算出等）し、この指標値を既定の閾値と比較する。指標値が閾値未満である場合、この被検者に関する処理は終了となる（つまり、誘導情報の生成は行われない）。
【００５０】
一方、指標値が閾値以上である場合、誘導情報生成部４２は、会場所在地情報に基づいて、第１会場の近くに位置する１以上の会場を選択する。この処理は、たとえば、第１会場から既定の距離以内に位置する他の会場を選択する処理を含む。他の例において、誘導情報生成部４２は、この被検者の被検者情報と会場所在地情報とに基づいて、被検者の所在地（居住地、所属組織の所在地、被検者端末５ｍから送られた現在位置等）の近くに位置する１以上の会場を選択する。この処理は、たとえば、被検者の所在地から既定の距離以内に位置する会場を選択する処理を含む。
【００５１】
続いて、誘導情報生成部４２は、選択された１以上の会場のそれぞれについて、その会場からの稼働状況情報を解析して混雑状況を示す指標値を取得し、この指標値を閾値と比較する。指標値が閾値以上である場合、この会場は誘導先から除外される。一方、指標値が閾値未満である場合、この会場は誘導先の候補として採用される。つまり、誘導情報生成部４２は、事前登録された会場の近くに位置する会場又は被検者の所在地の近くに位置する会場であって、混雑の程度が低い会場を、誘導先の候補として選択する。誘導情報生成部４２は、このように選択された１以上の誘導先の候補に基づいて誘導情報の生成を行う。
【００５２】
生成された誘導情報は、この被検者の被検者情報に含まれるアドレス情報に基づいて被検者端末５ｍに送信される。被検者は、事前登録された会場を、誘導情報に含まれる誘導先のいずれかへの変更を受諾するか否か判断し、その結果を被検者端末５ｍに入力する。この一連の処理は、被検者端末５ｍのユーザインターフェイスを利用して行われる。被検者端末５ｍは、被検者が入力した内容を管理装置４に返信する。なお、既定の時間内に返信が行われなかった場合や、既定の時刻までに返信が行われなかった場合、管理装置４は、たとえば、誘導（誘導の提案）は受諾されなかったと判定する。
【００５３】
（被検者情報取得部４３）
被検者端末５ｍから管理装置４に送られた返信の内容は被検者情報取得部４３に入力される。被検者情報取得部４３は、この返信に誘導の受諾が含まれるか否か判定する。返信に誘導の受諾が含まれない場合、つまり、被検者が会場の変更を行わないと判断した場合には、この被検者に関する処理は終了となる。
【００５４】
一方、返信に誘導の受諾が含まれる場合、つまり、誘導先のいずれかに会場を変更すると被検者が判断した場合、被検者情報取得部４３は、この被検者の被検者情報を格納部４１から取得する。たとえば制御部４１は、取得された被検者情報に含まれる会場ＩＤ（事前登録された会場のＩＤ）を、新たに指定された会場のＩＤに置換する（或いは、会場の変更履歴を被検者情報に記録する）。
【００５５】
更に、格納部４１から取得された被検者情報は、事前登録された会場への情報の送信や、新たに指定された会場への情報の送信に利用される。たとえば、管理装置４は、事前登録された会場の情報処理装置（眼科検査装置２、情報システム３−ｎ等）に、予約がキャンセルされたことを通知する。また、管理装置４は、新たに指定された会場の情報処理装置に、新規予約のリクエストを送信する。
【００５６】
（通信部４４）
通信部４４は、外部装置７との間でデータ通信を行う。データ通信の方式は任意である。通信部４４は、インターネット等の広域ネットワークに準拠した通信インターフェイスを少なくとも含む。外部装置７は、たとえば、眼科検査装置２、情報システム３−ｎ等であってよい。また、外部装置７は、読影センターに設置されたサーバ、医療機関に設置されたサーバなどであってもよい。通信部４４により送受信されるデータは暗号化されてよい。その場合、たとえば制御部４０は、送信データを暗号化する暗号化処理部と、受信データを復号化する復号化処理部とを含む。
【００５７】
［使用形態］
本実施形態の医療検査システムの使用形態について説明する。使用形態の例を図４に示す。
【００５８】
（Ｓ１：位置データ・時刻データの生成）
各会場の眼科検査装置２は、測位信号受信部２２による測位信号の受信と、位置データ生成部２３１による位置データの生成と、時刻データ生成部２３２による時刻データの生成とを開始する。測位信号受信部２２は、たとえば、所定の時間間隔で測位信号を受信して制御部２０に入力する。制御部２０は、当該時間間隔で入力される測位信号を逐次にデータ処理部２３に送る。位置データ生成部２３１は、位置データの生成を当該時間間隔で繰り返す。時刻データ生成部２３２は、時刻データの生成を当該時間間隔で繰り返す。当該時間間隔は事前に設定される。
【００５９】
（Ｓ２：稼働状況情報の生成）
各会場の眼科検査装置２の稼働状況情報生成部２３３は、前述した要領で稼働状況情報を生成する。この処理は、たとえば、ステップＳ１と同期して反復的に実行される。
【００６０】
（Ｓ３：稼働状況情報等の送信）
各会場の眼科検査装置２の制御部２０は、ステップＳ１で取得された位置データ及び時刻データと、ステップＳ２で取得された稼働状況情報とを管理装置４に向けて送信するように通信部２５を制御する。また、当該会場の会場ＩＤを更に送信するようにしてもよい。
【００６１】
（Ｓ４：誘導情報の生成）
管理装置４の通信部４４は、ステップＳ３で眼科検査装置２から送信された位置データ、時刻データ及び稼働状況情報を受信する。受信された情報は、制御部４０を介して誘導情報生成部４２に送られる。誘導情報生成部４２は、前述した要領で誘導情報を生成する。この情報の送信元である会場は、位置データ（又は会場ＩＤ）に基づいて特定される。また、この情報の送信時刻は、時刻データに基づいて特定される。
【００６２】
（Ｓ５：誘導情報の送信）
管理装置４の制御部４０は、ステップＳ４で生成された誘導情報を被検者端末５ｍに送信するように通信部４４を制御する。
【００６３】
（Ｓ６：ユーザによる情報入力）
被検者端末５ｍは、ステップＳ５で管理装置４から送信された誘導情報を受信し、たとえばユーザからの指示に応じて表示する。被検者は、被検者端末５ｍを操作することで、誘導情報に含まれる誘導先（会場）のいずれかを選択するための情報入力を行うか、或いは会場の変更を拒否するための情報入力を行う。
【００６４】
（Ｓ７：入力内容の送信）
被検者端末５ｍは、ユーザからの指示に応じ、ステップＳ６で入力された内容を管理装置４に送信する。
【００６５】
（Ｓ８：会場の変更を受諾したか？）
管理装置４の通信部４４は、ステップＳ７で被検者端末５ｍから送信された情報を受信する。受信された情報は、制御部４０を介して被検者情報取得部４３に送られる。被検者情報取得部４３は、この情報から被検者の回答を抽出する。被検者が会場の変更を行わないと判断した場合（Ｓ８：Ｎｏ）、処理は終了となる。
【００６６】
一方、被検者が会場の変更を行うと判断した場合（Ｓ８：Ｙｅｓ）、処理はステップＳ９に移行する。また、制御部４０は、新たに指定された会場の会場ＩＤを、この被検者の被検者情報に記録する。
【００６７】
（Ｓ９：被検者情報の選択）
被検者が会場の変更を行うと判断した場合（Ｓ８：Ｙｅｓ）、被検者情報取得部４３は、この被検者の被検者情報を格納部４１から検索する。この処理は、たとえば被検者ＩＤを検索クエリとして実行される。検索された被検者情報は制御部４０に送られる。
【００６８】
（Ｓ１０：被検者情報の送信）
制御部４０は、ステップＳ９で選択された被検者情報の少なくとも一部（又は被検者情報に基づき作成された情報）を２つの会場に向けて送信する。
【００６９】
具体的には、制御部４０は、この被検者が健康診断を受ける会場として事前登録された会場に設置された眼科検査装置２（又は情報システム３−ｎ）に向けて、この被検者の予約のキャンセルの要求を送信するように、通信部４４を制御する。このキャンセル要求は、被検者情報に含まれる被検者ＩＤを少なくとも含む。また、キャンセル要求の送信先である会場は、被検者情報に含まれる会場ＩＤ（事前登録された会場のＩＤ）によって特定される。
【００７０】
更に、制御部４０は、この被検者が新たに指定した会場に設置された眼科検査装置２（又は情報システム３−ｎ）に向けて、この被検者の予約の要求を送信するように、通信部４４を制御する。この予約要求は、被検者情報に含まれる被検者ＩＤ及び予約日時を含む。なお、予約日時については、ステップＳ６において、被検者が新たに指定することが可能である。この場合、新たに指定された予約日時が予約要求に含まれる。また、予約要求の送信先である会場は、被検者情報に含まれる会場ＩＤ（ステップＳ６で指定された会場のＩＤ）によって特定される。
【００７１】
（Ｓ１１：被検者情報の転送）
キャンセル要求を受けた眼科検査装置２は、これを情報システム３−ｎ（予約システム）に転送する。キャンセル要求を受けた情報システム３−ｎは、この被検者の予約をキャンセルするための処理を実行する。一方、予約要求を受けた眼科検査装置２は、これを情報システム３−ｎ（予約システム）に転送する。予約要求を受けた情報システム３−ｎは、新規予約を受け付けるための処理を実行する。以上で、本例の説明は終了である。
【００７２】
［作用・効果］
実施形態の作用及び効果について説明する。
【００７３】
実施形態の医療検査システムは、２以上の検査会場に設置された複数の検査装置と、各検査会場に設置された情報処理装置と、この情報処理装置と通信可能な管理装置とを含む。なお、上記の例では、検査装置（眼科検査装置２）が情報処理装置としての機能を備えているが、より一般に、複数の検査装置の少なくとも１つが情報処理装置の機能の少なくとも一部を備えていてよい。或いは、検査装置と情報処理装置とをそれぞれ個別の装置として構成してもよい。
【００７４】
情報処理装置（眼科検査装置２）は、稼働状況情報生成部（２３３）と、第１通信部（通信部２５）とを備える。稼働状況情報生成部は、当該検査会場（情報処理装置が設置されている会場）に設置された１以上の検査装置の稼働状況を示す稼働状況情報を生成する。第１通信部は、管理装置（４）に向けて稼働状況情報を送信する。
【００７５】
管理装置（４）は、格納部（４１）と、第２通信部（通信部４４）と、誘導情報生成部（４２）と、第１送信制御部（制御部４０）とを備える。格納部は、事前登録された被検者情報を格納する。第２通信部は、情報処理装置から送信された稼働状況情報を受信する。誘導情報生成部は、検査実施前の１以上の被検者に関する被検者情報と、第２通信部が受信した稼働状況情報とに基づいて、上記２以上の検査会場のいずれかに被検者を誘導するための誘導情報を生成する。第１送信制御部は、当該１以上の被検者の少なくともいずれかの使用端末（被検者端末５ｍ）に向けて誘導情報を送信するように第２通信部を制御する。
【００７６】
このような実施形態によれば、被検者は、使用端末に送信された誘導情報を参照することで、検査会場の変更を検討することができる。よって、複数の会場が存在する地域の全体における健康診断や検診の効率化を図ることができる。
【００７７】
なお、上記の実施形態は、被検者による検討結果（つまり、誘導を受諾するか否か）を管理装置に返信するように構成されているが、このような返信及びそれに伴う処理を行わない実施形態を構築することも可能である。たとえば、使用端末への誘導情報の送信までを実行する実施形態がある。
【００７８】
実施形態において、いずれかの検査装置（眼科検査装置２）は、ＧＰＳ等の測位システムを利用してその設置位置を取得し、それを管理装置に提供できるよう構成されていてよい。そのために、複数の検査装置の少なくとも１つは、測位信号受信部（２２）と、位置データ生成部（２３１）とを備える。測位信号受信部は、測位システムからの信号を受信する。位置データ生成部は、測位信号受信部により受信された信号を解析することで、現在位置を示す位置データを生成する。更に、第１通信部（通信部２５）は、生成された位置データを、稼働状況情報生成部２３３により生成された稼働状況情報とともに、管理装置（４）に送信する。
【００７９】
この構成によれば、管理装置４は、検査装置（情報処理装置）がどの検査会場に設置されているかを位置データに基づき特定できる。この構成は、巡回検診の場合や、検査装置がレンタルされている場合などに有効である。
【００８０】
更に、いずれかの検査装置（眼科検査装置２）は、その設置位置に加えて時刻データを取得できるよう構成されていてよい。そのために、複数の検査装置の少なくとも１つは、時刻データ生成部（２３２）を備える。時刻データ生成部は、測位信号受信部（２２）により受信された信号を解析することで、現在時刻を示す時刻データを生成する。第１通信部（通信部２５）は、生成された時刻データを、稼働状況情報及び位置データとともに、管理装置（４）に送信する。
【００８１】
この構成によれば、管理装置は、稼働状況情報が生成された時刻を把握できる。つまり、どの時刻における稼働状況を考慮しているかを認識することが可能である。これは、時々刻々と変化する稼働状況をリアルタイムで収集して使用端末に通知する場合などにおいて特に有効と考えられる（ただし、このような場合には限定されない）。
【００８２】
実施形態において、複数の検査装置は、実施可能な検査の種別に応じた２以上の群に分類されていてよい。この場合、稼働状況情報生成部（２３３）は、当該検査会場（この稼働状況情報生成部を備えた装置が設置されている検査会場）に設置された２以上の検査装置に関する稼働状況情報を２以上の群のそれぞれについて生成することができる。
【００８３】
この構成によれば、管理装置は、２以上の検査装置の稼働状況を検査種別ごと（装置の種別ごと）に把握することができる。それにより、健康診断等のコースを勘案しつつ、更なる効率化を図ることが可能である。
【００８４】
実施形態において、管理装置の第２通信部（通信部４４）は、誘導情報が送信された使用端末からの返信を受信するよう構成されてよい。更に、管理装置は、被検者情報取得部（４３）と、第２送信制御部（制御部４０）とを備えていてよい。第２通信部が使用端末から受信した返信が誘導情報による誘導の受諾を含む場合、被検者情報取得部は、当該被検者（使用端末に対応する被検者）の被検者情報を格納部（４１）から取得する。第２送信制御部は、被検者情報取得部により取得された被検者情報を、誘導先として受諾された検査会場の情報処理装置（眼科検査装置２）に向けて送信するように第２通信部を制御する。
【００８５】
この構成によれば、誘導情報に基づき被検者が新たに指定した検査会場にその旨を迅速に通知することが可能である。
【００８６】
管理装置（４）から送信された被検者情報は第１通信部（通信部２５）により受信される。更に、この被検者情報を第１通信部を介して情報システム（３−ｎ）に転送することができる。この転送処理の制御は、転送制御部（制御部２０）によって実行される。
【００８７】
この構成によれば、新規予約などの手続きを円滑に行うことができる。
【００８８】
以上に説明した実施形態は本発明の典型的な例示に過ぎない。よって、本発明の要旨の範囲内における任意の変形（省略、置換、付加等）を適宜に施すことが可能である。
【符号の説明】
【００８９】
１  医療検査システム
２  眼科検査装置
２２  測位信号受信部
２３１  位置データ生成部
２３２  時刻データ生成部
２３３  稼働状況情報生成部
２５  通信部
４  管理装置
４０  制御部
４１  格納部
４２  誘導情報生成部
４３  被検者情報取得部
４４  通信部
５ｍ  被検者端末
【図１】
0006660680.tif 000002
【図２】
0006660680.tif 000003
【図３】
0006660680.tif 000004
【図４】
0006660680.tif 000005